(57)【要約】【課題】乳幼児に簡単に靴下を履かせることができる乳幼児靴下着用補助具を提供する。【解決手段】乳幼児靴下着用補助具１は、乳幼児に靴下を履かせる際に用いるものであり、乳幼児の足のつま先を覆うように少なくとも一方に開口１１が設けられた中空状の被覆体１０を備えている。被覆体１０は、開口１１が設けられた一方側よりも、その反対側の他方側の方が幅が狭くなるように形成されている。被覆体１０は、また、足裏側を覆う平板状の底面部１３と、足の上側を覆う湾曲された上面部１４とを有している。【選択図】図１
2019041802.tif 000002
【特許請求の範囲】
【請求項１】
乳幼児の足のつま先を覆うように少なくとも一方に開口が設けられた中空状であり、一方側よりも他方側の方が幅が狭くなるように形成された被覆体を備え、
前記被覆体は、足裏側を覆う平板状の底面部と、足の上側を覆う湾曲された上面部とを有する
ことを特徴とする乳幼児靴下着用補助具。
【請求項２】
前記上面部の一方側端部における中央部には、他方側に向かって切り取られた切欠き部が設けられたことを特徴とする請求項１記載の乳幼児靴下着用補助具。
【請求項３】
前記被覆体の一方側の幅は、５ｃｍ以上６．５ｃｍ以下の範囲内であり、長さは５．５ｃｍ以上７ｃｍ以下の範囲内であることを特徴とする請求項１又は請求項２記載の乳幼児靴下着用補助具。
【発明の詳細な説明】
【技術分野】
【０００１】
本発明は、乳幼児に簡単に靴下をはかせることができる乳幼児靴下着用補助具に関するものである。
【背景技術】
【０００２】
乳幼児に靴下を履かせる場合には、例えば、両手で靴下の開口部を広げて持ち、足のつま先から被せるようにする。しかし、乳幼児は靴下を履かせようとしている者の意思に関係なく、自由に動いたり、足を別の方向に向けてしまうことも多い。よって、乳幼児に簡単に靴下を履かせることができる補助具があれば大変便利である。
【０００３】
ところが、従来の補助具は、高齢者や障害者が自分で簡単に靴下を履けるようにしたものが多い。例えば、特許文献１には、靴下を履かせるように装着することにより靴下を袋状に拡径させた状態で保持する靴下保持部２０と、靴下保持部２０を支持し、利用者の足のガイドともなる支持部材１０とを備え、靴下保持部２０は、少なくともその一部において利用者の足が通過できるように部材が設けられていない足抜き箇所を備え、利用者が靴下保持部２０に保持された靴下に対して足を押し入れつつ靴下保持部２０の足抜き箇所から足を抜くことにより靴下の装着を可能としたものが記載されている。
【先行技術文献】
【特許文献】
【０００４】
【特許文献１】特開２０１４−６１２５９号公報
【発明の概要】
【発明が解決しようとする課題】
【０００５】
しかしながら、特許文献１に記載の補助具は、高齢者や障害者が一人で簡単に靴下を履けるようするものであり、乳幼児が一人で靴下を履くには構造が複雑で難しい。また、親が乳幼児に靴下を履かせる際に使用しようとしても、大きさが大きいので、乳幼児を抱えた状態において片手で使用することは難しい。
【０００６】
本発明は、このような問題に基づきなされたものであり、乳幼児に簡単に靴下を履かせることができる乳幼児靴下着用補助具を提供することを目的とする。
【課題を解決するための手段】
【０００７】
本発明の乳幼児靴下着用補助具は、乳幼児の足のつま先を覆うように少なくとも一方に開口が設けられた中空状であり、一方側よりも他方側の方が幅が狭くなるように形成された被覆体を備え、被覆体は、足裏側を覆う平板状の底面部と、足の上側を覆う湾曲された上面部とを有するものである。
【発明の効果】
【０００８】
本発明によれば、乳幼児の足のつま先を覆うように少なくとも一方に開口が設けられた中空状の被覆体を備えるようにしたので、被覆体の中に開口から靴下のつま先を入れ、開口で靴下を外側に折り返して裏返しにすることにより、靴下のつま先を広げた状態で安定して保持することができる。また、被覆体の一方側よりも他方側の方の幅を狭くするようにしたので、片手で容易に持つことができる。よって、片手で乳幼児を抱えたり乳幼児の足を押さえ、片手で靴下を被せた乳幼児靴下着用補助具を持ち、乳幼児のつま先に靴下を被せた乳幼児靴下着用補助具を被せ、裏返されている靴下の足首側を裏返しながら足首の方に伸ばすことにより、容易に靴下を履かせることができる。
【０００９】
更に、被覆体は、足裏側を覆う平板状の底面部と、足の上側を覆う湾曲された上面部とを有するようにしたので、幅を確保しつつ、高さも確保することができ、乳幼児のつま先を容易に挿入することができる。
【００１０】
加えて、上面部の一方側端部における中央部に、他方側に向かって切り取られた切欠き部を設けるようにすれば、開口を大きくすることができ、乳幼児の足の指が反っていたり、動いていても、乳幼児のつま先を容易に挿入することができる。
【００１１】
更にまた、被覆体の一方側の幅を５ｃｍ以上６．５ｃｍ以下の範囲内、長さを５．５ｃｍ以上７ｃｍ以下の範囲内とするようにすれば、乳幼児のつま先を容易に挿入することができ、かつ、片手で容易に持つことができる。
【図面の簡単な説明】
【００１２】
【図１】本発明の一実施の形態に係る乳幼児靴下着用補助具の構成を表す斜視図である。
【図２】図１に示した乳幼児靴下着用補助具の構成を表す他の図である。
【図３】図１及び図２に示した乳幼児靴下着用補助具を用いて乳幼児に靴下を履かせる手順を表す図である。
【図４】図３に続く手順を表す図である。
【図５】図４に続く手順を表す図である。
【図６】図５に続く手順を表す図である。
【発明を実施するための形態】
【００１３】
以下、本発明の実施の形態について図面を参照して詳細に説明する。
【００１４】
図１及び図２は、本発明の一実施の形態に係る乳幼児靴下着用補助具１の構成を表すものであり、図１は斜視図、図２（Ａ）は横からみた図、図２（Ｂ）は上からみた図である。この乳幼児靴下着用補助具１は、乳幼児に靴下を履かせる際に用いられるものであり、乳幼児の足のつま先を覆うように少なくとも一方に開口１１が設けられた中空状の被覆体１０を備えている。
【００１５】
被覆体１０は、開口１１が設けられた一方側よりも、その反対側の他方側の方が幅が狭くなるように形成されている。片手で持ちやすくするためである。被覆体１０の大きさは、例えば、一方側の幅が５ｃｍ以上６．５ｃｍ以下の範囲内であり、他方側の幅が１ｃｍ以上２．５ｃｍ以下の範囲内であり、長さが５．５ｃｍ以上７ｃｍ以下の範囲内であることが好ましい。幅というのは、被覆体１０を上から見た時の幅であり、長さというのは、一方側と他方側とを結ぶ方向の長さである。
【００１６】
また、被覆体１０の一方側には、一方側端部よりも幅が広くなるように拡張された拡張部１２が設けられていることが好ましい。乳幼児のつま先に被覆体１０を被せた時に、つま先が抜け難くなるようにすると共に、靴下の足首側を返して伸ばしやすくするためである。すなわち、被覆体１０の幅は、一方側端部から他方側端部に向かい、拡張部１２において一旦幅が広くなり、その後、狭くなるように構成されていることが好ましい。
【００１７】
拡張部１２における幅Ｗ１は、例えば、一方側端部の幅Ｗ２よりも１ｍｍ以上５ｍｍ以下の範囲内で大きくすることが好ましい。拡張部１２は、例えば、一方側端部から他方側に向かい３ｃｍ離れた位置までの範囲内Ｘに設けられることが好ましく、拡張部１２の長さ方向における長さＬ１は１ｃｍ以上２．５ｃｍ以下の範囲内とすることが好ましい。
【００１８】
被覆体１０の他方側は、例えば、閉鎖されていてもよく、また、図示しない開口がもうけられていてもよい。
【００１９】
被覆体１０は、また、足裏側を覆う平板状の底面部１３と、足の上側を覆う湾曲された上面部１４とを有している。これにより、足の形状に合わせて幅を確保しつつ、高さも確保することができ、乳幼児のつま先を容易に挿入することができるからである。上面部１４の一方側端部における中央部には、他方側に向かって切り取られた切欠き部１５が設けられていることが好ましい。開口１１を拡張して大きくすることができ、乳幼児の足の指が反っていたり、動いていても、乳幼児のつま先を容易に挿入することができるからである。
【００２０】
被覆体１０は、例えば、合成樹脂により構成することが好ましい。また、被覆体１０は、網状体により構成するようにしてもよい。なお、被覆体１０には、適宜、乳幼児が喜ぶような絵等の模様を付すことが好ましい。
【００２１】
この乳幼児靴下着用補助具１は、例えば、乳幼児に靴下を履かせる際に次のようにして用いることができる。図３〜６は乳幼児靴下着用補助具１を用いて乳幼児４０に靴下を履かせる手順を表すものである。
【００２２】
まず、例えば、図３に示したように、被覆体１０の中に開口１１から靴下２０のつま先を挿入し、図４に示したように、開口１１で靴下２０を外側に折り返して裏返しにする。次いで、例えば、図５に示したように、被覆体１０の他方側から片方の手３１の指を被覆体１０と靴下２０との間に入れて持ち、もう片方の手３２で乳幼児の足４０を押さえるか又は乳幼児を抱え、乳幼児のつま先４１に靴下２０を被せた被覆体１０を被せる。続いて、例えば、図６に示したように、裏返されている靴下２０の足首側を表側が表になるように裏返しながら乳幼児の足首４２の方に伸ばし、つま先に残った乳幼児靴下着用補助具１を取り除く。これにより、容易に乳幼児に靴下を履かせることができる。
【００２３】
このように本実施の形態によれば、乳幼児の足４０のつま先４１を覆うように少なくとも一方に開口１１が設けられた中空状の被覆体１０を備えるようにしたので、被覆体１０の中に開口１１から靴下２０のつま先を入れ、開口１１で靴下２０を外側に折り返して裏返しにすることにより、靴下２０のつま先を広げた状態で安定して保持することができる。また、被覆体１０の一方側よりも他方側の方の幅を狭くするようにしたので、片手で容易に持つことができる。よって、片手で乳幼児を抱えたり乳幼児の足４０を押さえ、片手で靴下２０を被せた乳幼児靴下着用補助具１を持ち、乳幼児のつま先４１に靴下２０を被せた乳幼児靴下着用補助具１を被せ、裏返されている靴下２０の足首側を裏返しながら足首４２の方に伸ばすことにより、容易に靴下２０を履かせることができる。
【００２４】
更に、被覆体１０は、足裏側を覆う平板状の底面部１３と、足の上側を覆う湾曲された上面部１４とを有するようにしたので、幅を確保しつつ、高さも確保することができ、乳幼児のつま先４１を容易に挿入することができる。
【００２５】
加えて、上面部１４の一方側端部における中央部に、他方側に向かって切り取られた切欠き部１５を設けるようにすれば、開口１１を大きくすることができ、乳幼児の足４０の指が反っていたり、動いていても、乳幼児のつま先４１を容易に挿入することができる。
【００２６】
更にまた、被覆体１０の一方側の幅を５ｃｍ以上６．５ｃｍ以下の範囲内、長さを５．５ｃｍ以上７ｃｍ以下の範囲内とするようにすれば、乳幼児のつま先４１を容易に挿入することができ、かつ、片手で容易に持つことができる。
【００２７】
以上、実施の形態を挙げて本発明を説明したが、本発明は上記実施の形態に限定されるものではなく、種々変形可能である。例えば、上記実施の形態では、各構成要素についても具体的に説明したが、全ての構成要素を備えていなくてもよく、また、他の構成要素を備えていてもよい。
【産業上の利用可能性】
【００２８】
乳幼児に靴下を履かせる際に用いることができる。
【符号の説明】
【００２９】
１…乳幼児靴下着用補助具、１０…被覆体、１１…開口、１２…拡張部、１３…底面部、１４…上面部、１５…切欠き部
【図１】
2019041802.tif 000003
【図２】
2019041802.tif 000004
【図３】
2019041802.tif 000005
【図４】
2019041802.tif 000006
【図５】
2019041802.tif 000007
【図６】
2019041802.tif 000008